(57)【特許請求の範囲】
【請求項１】
開口を有するケースと、
前記ケースの開口を介して外部に露出されたカバーと、
前記ケースの内側に配置されるが、前記カバーと結合され、吐出口を具備したヘッド部と、
前記ヘッド部と前記カバーとの間に配置される弾性部と、
前記ヘッド部と前記カバーとの間で、前記弾性部の第１端部と連結される連結キャップと、を含み、
前記カバーは、前記ヘッド部上で第１軸を中心に第１角度で回転し、前記開口を介して、前記吐出口を露出させ、前記吐出口を露出させた状態で、前記第１軸に対して垂直である第２方向に沿って線形移動するように構成されており、前記カバーの線形移動によって前記ヘッド部、前記弾性部、及び前記連結キャップが共に移動し、
前記カバーの第１角度への回転時、前記弾性部の第２端部は、前記連結キャップの開口を介して、前記カバーに所定の力を提供する携帯用スプレー噴射構造。
【請求項２】
前記ケースの前記開口は、Ｔ字形開口を含み、
前記カバーは、前記吐出口を露出させた状態で、前記Ｔ字形開口に沿ってガイドされるように具備されたＴ字形構造である第１部分を含むことを特徴とする請求項１に記載の携帯用スプレー噴射構造。
【請求項３】
前記ヘッド部と前記ケースとの間に介在され、前記第２方向に沿って長く形成され、互いに噛み合って相対的に移動自在になるように具備された突起と溝との組立体をさらに含むことを特徴とする請求項１に記載の携帯用スプレー噴射構造。
【請求項４】
開口を含むケースと、
前記ケースの内側に配置され、吐出口を具備したヘッド部と、
前記ヘッド部の上部と結合されたまま、外部に露出されたカバーと、を含み、
前記ケースの前記開口は、
前記ケースの上面に位置し、広幅部と狭幅部によって形成されたＴ字形第１開口と、
前記Ｔ字形第１開口の前記狭幅部と一体に連結され、前記ケースの側面に位置する第２開口と、を含み、
前記カバーは、第１位置で、第１軸を中心に回転し、第２位置で、前記吐出口を外部に露出させ、前記第２位置で、前記第１軸と垂直である方向に沿って線形移動し、前記ヘッド部を加圧するように構成され、
前記カバーは、前記第２位置で、前記Ｔ字形第１開口に沿ってガイドされるように具備されたＴ字形構造である第１部分を含むが、前記Ｔ字形構造である第１部分は、前記第２位置で前記Ｔ字形第１開口の前記広幅部と対応する第１−１部分及び前記第１−１部分よりも狭幅の第１−２部分を含む、携帯用スプレー噴射構造。
【請求項５】
前記ケースは、前記第１開口周辺に配置され、前記Ｔ字形第１開口を定義し、前記ケースの内側壁と離隔されたリブをさらに含み、
前記第１部分の前記第１−１部分は、前記第２位置で、前記リブと、前記ケースの内側壁との間に位置することを特徴とする請求項４に記載の携帯用スプレー噴射構造。
【発明の詳細な説明】
【技術分野】
【０００１】
本発明は、携帯用スプレー噴射構造に係り、さらに具体的には、加圧式スプレー噴射構造に関する。
【背景技術】
【０００２】
化粧品のような内容物を収容する容器は、非常に多様である。そのうち、加圧方式を介して、内容物を外部に噴出する加圧式ポンピング容器は、吐出口が外部環境に露出された構造を有したり、吐出口を保護するために別途のふたを具備したりしている。
【発明の概要】
【発明が解決しようとする課題】
【０００３】
吐出口が露出される場合、外部の汚染物質、例えば、ほこりなどと内容物とが、吐出口または吐出口周辺で入り混じり、汚染を引き起こさせる問題がある。別途のふたを具備する容器の場合、ふたを別途に管理しなければならない厄介さがある。本発明は、前述の問題を含み、さまざまな問題を解決するために導き出されたものであり、本発明の実施形態は、携帯用スプレー噴射構造を提供する。
【課題を解決するための手段】
【０００４】
本発明の一実施形態は、開口を有するケースと、前記ケースの開口を介して外部に露出されたカバーと、前記ケースの内側に配置されるが、前記カバーと結合され、吐出口を具備したヘッド部と、前記ヘッド部と前記カバーとの間に配置される弾性部と、前記ヘッド部と前記カバーとの間で、前記弾性部の第１端部と連結される連結キャップと、を含み、前記カバーは、前記ヘッド部上で第１軸を中心に第１角度で回転し、前記開口を介して、前記吐出口を露出させ、前記吐出口を露出させた状態で、前記第１軸に対して垂直である第２方向に沿って線形移動し、前記カバーの第１角度への回転時、前記弾性部の第２端部は、前記連結キャップの開口を介して、前記カバーに所定の力を提供する携帯用スプレー噴射構造を開示する。
【０００５】
前記ケースの前記開口は、Ｔ字形開口を含み、前記カバーは、前記吐出口を露出させた状態で、前記Ｔ字形開口に沿ってガイドされるように具備されたＴ字形構造である第１部分を含んでもよい。
【０００６】
前記ヘッド部と前記ケースとの間に介在され、前記第２方向に沿って長く形成され、互いに噛み合って相対的に移動可能になるように具備された突起と溝との組立体をさらに含んでもよい。
【０００７】
本発明の他の実施形態は、Ｔ字形第１開口を含むケースと、前記ケースの内側に配置され、吐出口を具備したヘッド部と、前記ヘッド部の上部と結合されたまま、外部に露出されたカバーと、を含み、前記カバーは、第１位置で、第１軸を中心に回転し、第２位置で、前記吐出口を外部に露出させ、前記第２位置で、前記第１軸と垂直である方向に沿って線形移動し、前記ヘッド部を加圧し、前記カバーは、前記第２位置で、前記Ｔ字形第１開口に沿ってガイドされるように具備されたＴ字形構造である第１部分を含む携帯用スプレー噴射構造を開示する。
【０００８】
前記ケースは、前記第１開口周辺に配置され、前記Ｔ字形第１開口を定義し、前記ケースの内側壁と離隔されたリブををさらに含み、前記第１部分は、前記第２位置で、前記リブと、前記ケースの内側壁との間に位置するように具備された第１−１部分を含んでもよい。
【０００９】
前述のところ以外の他の側面、特徴、利点が、以下の図面、特許請求の範囲、及び発明の詳細な説明から明確になるであろう。
【発明の効果】
【００１０】
本発明の実施形態は、ワンタッチタイプでカバーを開き、吐出口を露出させることができ、カバーを利用し、ヘッド部を安定して加圧することができ、ユーザが、内容物噴出のための加圧操作を容易に具現することができる。前述の効果は、例示的なものであり、該実施形態による効果は、後述する内容を介して詳細に説明する。
【図面の簡単な説明】
【００１１】
【図１】本発明の一実施形態による携帯用スプレー噴射構造に係わる斜視図である。
【００１２】
【図２】図１の分解斜視図である。
【００１３】
【図３】図２に図示されたカバーアセンブリを示した分解斜視図である。
【００１４】
【図４Ａ】図３のカバーアセンブリの斜視図である。
【図４Ｂ】図３のカバーアセンブリの斜視図である。
【００１５】
【図５】図１の上部ケースの一部を示した斜視図である。
【００１６】
【図６】図５のＶＩ−ＶＩ線に沿って切り取った断面図である。
【００１７】
【図７】第２位置での上部ケースとカバーアセンブリとを示した斜視図である。
【００１８】
【図８Ａ】ケースに係わるカバーの回転移動を示す断面図である。
【図８Ｂ】ケースに係わるカバーの回転移動を示す断面図である。
【図８Ｃ】ケースに係わるカバーの回転移動を示す断面図である。
【図８Ｄ】ケースに係わるカバーの線形移動を示す断面図である。
【００１９】
【図９】本発明の他の実施形態によるカバーアセンブリを示した分解斜視図である。
【００２０】
【図１０Ａ】ケースに係わるカバーの回転移動を示す断面図である。
【図１０Ｂ】ケースに係わるカバーの回転移動を示す断面図である。
【図１０Ｃ】ケースに係わるカバーの回転移動を示す断面図である。
【図１０Ｄ】ケースに係わるカバーの線形移動を示す断面図である。
【発明を実施するための形態】
【００２１】
本発明は、多様な変換を加えることができ、さまざまな実施形態を有することができるが、特定実施形態を図面に例示し、詳細な説明によって詳細に説明する。本発明の効果、特徴、及びそれらを達成する方法は、図面と共に詳細に後述されている実施形態を参照すれば、明確になるであろう。しかし、本発明は、以下で開示される実施形態に限定されるものではなく、多様な形態によっても具現される。
【００２２】
以下、添付された図面を参照し、本発明の実施形態について詳細に説明するが、図面を参照して説明するとき、同一であるか、あるいは対応する構成要素は、同一図面符号を付し、それに係わる重複説明は、省略する。
【００２３】
以下の実施形態において、第１、第２のような用語は、限定的な意味ではなく、１つの構成要素を他の構成要素と区別する目的に使用された。
【００２４】
以下の実施形態において、単数の表現は、文脈上明白に異なって意味しない限り、複数の表現を含む。
【００２５】
以下の実施形態において、「含む」または「有する」というような用語は、明細書上に記載された特徴または構成要素が存在するということを意味するものであり、１以上の他の特徴または構成要素が付加される可能性をあらかじめ排除するものではない。
【００２６】
以下の実施形態において、領域、構成要素などの部分が他の部分の上または上部にあるとするとき、他の部分の真上にある場合だけではなく、その中間に、他の領域、構成要素などが介在されている場合も含む。
【００２７】
図面においては、説明の便宜のために、構成要素がその大きさが誇張されていたり縮小されていたりする。例えば、図面に示された各構成の大きさ及び厚みは、説明の便宜のために任意に示されているので、本発明は、必ずしも図示されたところに限定されるものではない。
【００２８】
ある実施形態が異なって具現可能である場合、特定の工程順序は、説明される順序と異なるようにも遂行される。例えば、連続して説明される２つの工程が、実質的に同時に遂行されもし、説明される順序と反対の順序にも進められる。
【００２９】
以下の実施形態において、領域、構成要素などが連結されたとするとき、領域、構成要素が直接連結された場合だけではなく、領域、構成要素の中間、に他の領域、構成要素が介在され、間接的に連結された場合も含む。例えば、本明細書において、領域、構成要素などが機構的に連結されたとするとき、領域、構成要素などが直接連結された場合だけではなく、その中間に、他の領域、構成要素などが介在され、間接的に電気的に連結された場合も含む。
【００３０】
図１は、本発明の一実施形態による携帯用スプレー噴射構造に係わる斜視図である。
【００３１】
図１及び図２を参照すれば、携帯用スプレー噴射構造１０は、カバー２６０を具備する。カバー２６０は、外装部材１００の上側にも具備される。外装部材１００は、上部外装部材１１０と下部外装部材１２０とを含み、上部外装部材１１０は、カバー２６０と対応する開口１００ｏｐを含んでもよい。外装部材１００は、アルミニウムのような金属材によって形成されるか、あるいはプラスチックのような絶縁材によっても形成される。
【００３２】
カバー２６０は、外装部材１００の上部に沿って曲がった形状を有することができる。例えば、カバー２６０は、第１部分２６１、及び第１部分２６１の端部と連結されるが、第１部分２６１と交差する方向に延長された第２部分２６２を含む。第１部分２６１は、外装部材１００の上面１１１と対応し、第２部分２６２は、上面１１１に連結された一側面１１２と対応する。
【００３３】
カバー２６０は、開口１００ｏｐをカバーするように配置されていて、ユーザの手動作などにより、所定の軸を中心に回転して開けられる。開けられた状態のカバー２６０は、上下方向（ｚ方向）に沿って線形移動可能な状態になり、カバー２６０の線形運動により、携帯用スプレー噴射構造１０内に収容された内容物が外部に噴出される。
【００３４】
一実施形態による携帯用スプレー噴射構造１０は、図２でのようにも構成される。
【００３５】
図２を参照すれば、携帯用スプレー噴射構造１０は、内部に保存部２１０を含んでもよい。保存部２１０は、上部が開放された円柱の形状を有することができ、内部には、内容物を保存及び保管する。保存部２１０に収容された内容物は、化粧品、消臭剤、脱臭剤、芳香剤、口腔清潔剤、洗顔剤のように噴出可能な物質であるが、その種類を特別に制限するものではない。該内容物は、液体または気体でもある。液体である内容物は、例えば、所定の粘性（例えば、０．００１〜０．６poiseの粘性）を有するか、あるいは粘性を有さない液体状態でもある。
【００３６】
保存部２１０は、保存部２１０に収容された内容物を外部に排出するための圧力を提供するポンプ構造を有するポンピング部２３０と連結される。ポンピング部２３０は、ヘッド部２５０のポンピング動作、例えば、上下方向への線形移動により、内容物排出のための圧力を提供することができる。ポンピング部２３０の外側面には、突起２３２が具備され、突起２２２は、ケース３００の内側に形成された溝と結合することができる。
【００３７】
ヘッド部２５０は、吐出口２５５を含む。吐出口２５５は、ヘッド部２５０の一側面上にも配置される。保存部２１０の内容物は、ポンピング部２３０の管２３４を経て、吐出口２５５を介して外部に噴出される。
【００３８】
カバー２６０は、ヘッド部２５０上に位置し、ヘッド部２５０と機構的に連結される。例えば、カバー２６０は、連結キャップ２７０を介して、ヘッド部２５０と機構的にも連結される。一実施形態において、カバー２６０は、ｘ方向に沿って両側に突出した１対の突起２６５を含み、カバー２６０の突起２６５は、第１軸ＡＸ１方向であるｘ方向に沿って、連結キャップ２７０に具備された１対の溝２７５にも結合される。突起２６５が、溝２７５に結合された状態で、カバー２６０を開ける所定の力が加えられれば、溝２７５に結合された状態の突起２６５が、第１軸ＡＸ１を中心に回転しながら、カバー２６０が第１角度ほど回転することになる。
【００３９】
前述のように、ヘッド部２５０やカバー２６０などは、連結キャップ２７０によって機構的に互いに連結され、以下では、機構的に連結されたヘッド部２５０とカバー２６０とを含む構造を、カバーアセンブリＮＡと総称する。
【００４０】
カバーアセンブリＮＡは、ケース３００内側に配置されるが、カバー２６０は、ケース３００の開口３００ｏｐを介して、外部に露出される。例えば、保存部２１０、ポンピング部２３０、ヘッド部２５０、ヘッド部２５０とカバー２６０とを連結する連結キャップ２７０は、ケース３００内にも配置されるのに、このとき、カバー２６０は、ケース３００に具備された開口３００ｏｐを介して外部に露出される。
【００４１】
開口３００ｏｐは、ケース３００は、上部に具備されるが、ケース３００は、互いに結合される上部ケース３１０と下部ケース３２０とを含んでもよい。上部ケース３１０と下部ケース３２０とのうちいずれか一つ、例えば、上部ケース３１０は、下部ケース３２０に向けて延長されたスカート部３１５を含み、スカート部３１５の外側面上に形成された突起３１６を介して、上部ケース３１０は、下部ケース３２０と結合される。
【００４２】
開口３００ｏｐは、カバー２６０と対応する形状を有する。例えば、開口３００ｏｐは、上部ケース３１０の上面３１０Ａに具備された第１開口領域３００ｏｐ１、及び上面３１０Ａに連結された一側面３１０Ｂに具備された第２開口領域３００ｏｐ２を含み、第１開口領域３００ｏｐ１と第２開口領域３００ｏｐ２は、一体に連結される。開口３００ｏｐの第１開口領域３００ｏｐ１が、カバー２６０の第１部分２６１と対応し、第２開口領域３００ｏｐ２が、カバー２６０の第２部分２６２と対応するように、開口３００ｏｐは、カバー２６０と対応する形状を有する。カバー２６０は、開口３００ｏｐをカバーすることができると同時に、開口３００ｏｐを介して外部にも露出される。
【００４３】
カバー２６０は、ケース３００の開口３００ｏｐをカバーしていて、ユーザの手動作などにより、第１軸ＡＸ１を中心に回転して開けられるが、カバー２６０が開けられながら、カバー２６０により、外部と空間的に分離されていた吐出口２５５は、開口３００ｏｐ、例えば、第２開口領域３００ｏｐ２を介して外部に露出されながら、外部と空間的にも連結される。
【００４４】
図２は、保存部２１０及びヘッド部２５０がケース３００内側に収容され、またケース３００が、外装部材１００の内側に収容されるところを図示している。そのような場合、ケース３００の開口３００ｏｐは、外装部材１００の開口１００ｏｐ（図１）と対応する。例えば、ケース３００の開口３００ｏｐと、外装部材１００の開口１００ｏｐは、互いに重畳され、実質的に同一サイズを有することができる。ケース３００の開口３００ｏｐが外装部材１００の開口１００ｏｐと対応するので、カバー２６０が、ケース３００の開口３００ｏｐだけではなく、外装部材１００の開口１００ｏｐを介しても露出され、カバー２６０の回転により、吐出口２５５が外部に露出されるということは言うまでもない。
【００４５】
ケース３００の内側面には、ヘッド部２５０の外側面に形成された溝２５１と対応する突起３１３（図５）を含んでもよい。前記溝２５１は、ヘッド部２５０の移動方向Ｚに平行な方向に長く線形にも形成され、前記突起３１３も、それに対応する形状にも形成される。ヘッド部２５０の溝２５１に、ケース３００内側面の突起３１３が挿入された状態で、後述するように、カバーアセンブリＮＡが線形移動するので、カバーアセンブリＮＡがケース３００内で空回りすることを防止し、従って、カバーアセンブリＮＡが空回りしながら、上部ケース３１０の開口３００ｏｐではない他の方向に内容物が吐出されることを防止し、カバー２６０が、開口３００ｏｐから離脱したり壊れたりするような携帯用スプレー噴射構造１０の機構的破損を防止することができる。そのように、前記のような溝２５１と突起３１３は、前述のヘッド部２５０とケース３００との間に介在され、上下方向に沿って長く形成され、互いに噛み合い、相対的に移動可能になるように具備された突起と溝との組立体をなすことができる。このとき、溝２５１と突起３１３は、互いに反対に具備されてもよい。例えば、突起が、ヘッド部２５０の外側面に形成され、溝が、ケース３００の内側面にも形成される。
【００４６】
図２は、保存部２１０及びヘッド部２５０が、ケース３００内側に収容され、またケース３００が、外装部材１００の内側に収容されるように図示しているが、本発明は、それに限定されるものではない。他の実施形態として、前記ケース３００は、外装部材１００と一体にも具備される。または、噴射構造１０は、ケース３００と外装部材１００とのうちいずれか一つだけを具備することができる。例えば、ケース３００が、外装材としての機能を具備することができ、その場合、図２での外装部材１００は、省略されてもよい。
【００４７】
図３は、図２に図示されたカバーアセンブリを示した分解斜視図であり、図４Ａ及び図４Ｂは、図３のカバーアセンブリの斜視図であり、図４Ａは、カバーが第１位置にある状態を示し、図４Ｂは、カバーが第２位置にある状態を示す。
【００４８】
図３を参照すれば、カバーアセンブリＮＡは、弾性部２８０を含んでもよい。弾性部２８０は、ヘッド部２５０とカバー２６０との間に配置されるが、さらに具体的には、ヘッド部２５０と連結キャップ２７０との間に配置され、連結キャップ２７０により、一端部がカバーされる。
【００４９】
弾性部２８０の第１端部２８０ａは、連結キャップ２７０により、ヘッド部２５０上でその位置が規制される。一実施形態において、連結キャップ２７０の下面に具備された結合突起２７２が、ヘッド部２５０の上面２５０ａに具備された結合孔２５２に結合するが、結合突起２７２のうち一部が、弾性部２８０の第１端部２８０ａのホール２８２を貫通したまま、結合孔２５２に結合されながら、弾性部２８０の第１端部２８０ａが、ヘッド部２５０上にも固定される。弾性部２８０の第１端部２８０ａは、連結キャップ２７０の一側エッジからヘッド部２５０に向けて延長された側部２７７によってカバーされ、ユーザに露出されない。弾性部２８０の第１端部２８０ａの反対側に具備された弾性部２８０の第２端部２８０ｂは、連結キャップ２７０の開口部２７４を介して、カバー２６０と直接接触することができる。弾性部２８０の第２端部２８０ｂは、自由に移動自在な自由端であり、カバー２６０が、図４Ａ及び図４Ｂに図示されているように、第１軸ＡＸ１を中心に、第１位置から第２位置に、第１角度（例えば、およそ９０°）ほど回転するとき、カバー２６０に上下方向への弾性力を提供することができる。それを介して、ユーザは、重みがありながらも柔らかいカバー２６０の回転動作を感じることができる。弾性部２８０の第２端部２８０ｂは、連結キャップ２７０の開口部２７４を介して、カバー２６０と直接接触することができる。弾性部２８０は、板スプリングを含んでもよいが、必ずしもそれに限定されるものではなく、プラスチック射出材質の弾性部などを含んでもよい。弾性部２８０が射出材質によって形成される場合、前記弾性部２８０は、カバー２６０、連結キャップ２７０またはヘッド部２５０に一体に結合されたものでもある。
【００５０】
カバー２６０は、図３に図示されているように、第１部分２６１と、第１部分２６１に対して折り曲げられた第２部分２６２とを含むが、第１部分２６１の平均厚は、第２部分２６２の平均厚より厚く形成され、カバー２６０の回転及び／または線形移動のために、カバー２６０に加えられる力によってカバー２６０が折れるような損傷を防止することができる。
【００５１】
カバー２６０の第１部分２６１において、突起２６５と隣接した部分の厚みは、他の部分より厚く形成され、第１部分２６１の内側面２６１ｉは、曲面を含んでもよい。例えば、第１部分２６１の内側面２６１ｉにおいて、突起２６５と隣接した一部領域は、弾性部２８０に向けて他の領域より凸状に突出しており、第１部分２６１の内側面２６１ｉにおいて、凸状の一部領域２６１ｉ−ｐは、弾性部２８０の第２端部２８０ｂと接触することができる。
【００５２】
一実施形態によれば、前記カバー２６０の第１部分２６１は、第１−１部分２６１−１及び第１−２部分２６１−２を含んでもよい。前記第１−１部分２６１−１は、第２部分２６２の端部から延長された部分であり、ｘ方向に、第２部分２６２とほぼ同一幅にも形成される。前記第１−２部分２６１−２は、第１−１部分２６１−１から、−ｙ方向に沿って前方に突出したものであり、ｘ方向に、第１−１部分２６１−１より狭幅にも形成される。前記第１−２部分２６１−２は、第１−１部分２６１−１の大体中央部分から突出するようにも形成される、前記溝２７５に向かった第１−２部分２６１−２の下端には、前述の突起２６５が形成される。そのような構造により、前記第１部分２６１は、ｘｙ平面方向への断面が、大体Ｔ字形状をなす。
【００５３】
前記第１−１部分２６１−１は、第１−２部分２６１−２よりｚ方向に長く形成されるが、それにより、図４Ｂのような第２位置において、第１−１部分２６１−１の端部２６１−３、がヘッド部２５０のリセス２５９にも収容される。第２位置において、第１−１部分２６１−１の端部２６１−３が、リセス２５９に収容されるように、連結キャップ２７０の対応する位置は、扁平面２７３を形成することができる。
【００５４】
図５は、図１の上部ケースの一部を示した斜視図であり、図６は、図５のＶＩ−ＶＩ線に沿って切り取った断面図であり、図７は、第２位置での、上部ケースとカバーアセンブリとを示した斜視図である。
【００５５】
図５及び図６を参照すれば、上部ケース３１０は、掛かり部３１２ｇを含んでもよい。掛かり部３１２ｇは、所定深みを有する溝の形状であり、図４Ｂでのように、カバー２６０が第２位置にある場合、カバー２６０に具備された突起２６５を収容することができる。前述のように、カバー２６０の第１位置から第２位置への回転時に作用する弾性部２８０の力により、予期せずに連結キャップ２７０から分離または離脱されることを防止するために、上部ケース３１０は、掛かり部３１２ｇを含んでもよい。具体的には、一実施形態として、カバー２６０の突起２６５との結合のために、連結キャップ２７０の溝２７５上部が開放されたＣ字形状である場合（図４Ｂ参照）、弾性部２８０からカバー２６０に作用する力の方向が、前記溝２７５の上部と実質的に併行であるなので、カバー２６０が、溝２７５の上部を介して分離及び離脱されながら、連結キャップ２７０からも離脱されるが、上部ケース３１０の掛かり部３１２ｇが突起２６５の離脱を抑制するので、前述の問題を防止することができる。
【００５６】
上部ケース３１０は、第１開口領域３００ｏｐ１を真ん中としたまま並んで配置された１対のリブ（または、突出部３１２）を含んでもよい。例えば、１対のリブ３１２は、第１開口領域３００ｏｐ１の両側エッジにも配置される。リブ３１２それぞれの第１端部は、第１開口領域３００ｏｐ１を定義する上部ケース３１０の内側壁３１１ａから、第１距離ｄほど離隔されても配置される。従って、前記リブ３１２と、上部ケース３１０の内側壁３１１ａとによって定義された空間は、ｙ方向に向かったＴ字形開口にもなる。前記リブ３１２と、上部ケース３１０の内側壁３１１ａとによって定義された空間は、第２位置でのカバー２６０の第１部分２６１のＴ字形構造、特に、第１−１部分２６１−１の占有空間に該当し、第１−１部分２６１−１は、リブ３１２と、上部ケース３１０の内側壁３１１ａとの間から上下方向に移動する。例えば、図７に図示されているように、カバー２６０に加えられる力Ｆにより、上下方向に移動することができる。カバー２６０に加えられる力Ｆ’が、カバー２６０の線形移動方向（ｚ方向）に対して、斜めに作用する場合、カバー２６０が上下方向に移動する前、及び／または内容物が噴出される前、第１位置に逆回転してしまう問題がありうるが、前述のように、リブ３１２が配置されているので、意図しないカバー２６０の閉鎖、すなわち、第２位置から第１位置への逆回転を防止することができる。一方、リブ３１２は、カバー２６０の閉鎖動作時、ストッパとしての役割を行うことができる。例えば、内容物の吐出を終え、カバー２６０が、開口３００ｏｐをカバーするように閉じるとき、上部ケース３１０の第１開口領域３００ｏｐ１の両側辺に配置されたリブ３１２は、カバー２６０が過度に回転しながら、開口３００ｏｐを経て、さらに内側に進入することを防止することができる。
【００５７】
図５ないし図７においては、リブ３１２が、第１開口領域３００ｏｐ＿１の側辺に沿って、所定長さほど延長された状態を図示しているが、リブ３１２の長さは、図示されたところより短くも形成されるということは言うまでもない。
【００５８】
図８Ａないし図８Ｃは、ケースに係わるカバーの回転移動を示し、図８Ｄは、ケースに係わるカバーの線形移動を示す断面図である。
【００５９】
カバー２６０は、図８Ａに図示されているように、第１位置において、上部ケース３１０の開口３００ｏｐをカバーする。ヘッド部２５０の吐出口２５５は、カバー２６０の第２部分２６２で隠されて外部に露出されないので、汚染を防止することができる。
【００６０】
ユーザの手などにより、カバー２６０を開ける力が加えられれば、図８Ｂ及び図８Ｃに図示されているように、カバー２６０が第１軸ＡＸ１を中心に回転し、第２位置に移動する。第１位置から第２位置へのカバー２６０の移動時、カバー２６０の下に配置された弾性部２８０は、カバー２６０を押し上げる力を加える。一実施形態において、弾性部２８０の第２端部２８０ｂは、第１位置において、カバー２６０の第１部分２６１の厚肉部２６１Ｔの第１内側面Ｓ１と接触してから、第２位置において、第１部分２６１の第２内側面Ｓ２と接触（図８Ｃ参照）しながら、カバー２６０が第２位置にも置かれる。第２端部２８０ｂの終端は、下方に折れており、第１内側面Ｓ１と接触していて、第２内側面Ｓ２に接触が変更される過程において、第２端部２８０ｂが、意図せずに、カバー２６０の第１内側面Ｓ１及び第２内側面Ｓ２に掛かることなどを防止することができる。ここで、第２内側面Ｓ２は、厚肉部２６１Ｔの第１内側面Ｓ１と連結されるが、第１内側面Ｓ１とは交差する方向に延長された面である。また、弾性部２８０の第２端部２８０ｂは、図８Ｃに図示されているように、カバー２６０の第１部分の第２内側面Ｓ２下で、カバー２６０を支持することができるので、カバー２６０は、所定の力以上の外力が加えられない限り、意図せずに、第２位置から第１位置に逆回転しない。
【００６１】
前述のリブ３１２などの構造、及びカバー２６０に弾性力を提供する弾性部２８０の複合的な構造により、カバー２６０は、所定の強度以上の力が作用しない限り、容易に開閉することがないので、意図しないカバー２６０の開閉動作を防止することができ、所定の力以上が作用する場合には、容易にカバー２６０を開閉することができる。
【００６２】
その後、図８Ｄに図示されているように、力Ｆが作用すれば、カバー２６０が、第１軸ＡＸ１に垂直である下方に移動し、カバー２６０の下にあるヘッド部２５０も、下方に移動しながら、吐出口２５５を介して、内容物が噴出される。カバー２６０の線形移動による力がそのままヘッド部２５０にも伝達されるように、ヘッド部２５０の上部には、カバー２６０の一端、具体的には、第１−１部分２６１−１の端部２６１−３を収容することができるリセス２５９を含んでもよい。
【００６３】
力Ｆにより、機構的に連結されたカバー２６０、連結キャップ２７０、弾性部２８０及びヘッド部２５０が一体に移動しながら、カバー２６０の軸ＡＸ１も、カバー２６０と共に線形的に移動することができる。
【００６４】
力Ｆにより、カバー２６０、連結キャップ２７０、弾性部２８０及びヘッド部２５０が一体に移動しながら、ポンピング作用を行うとき、上部ケース３１０の内側壁３１１ａと、カバー２６０との間に間隙が生じもするが、該間隙にポンピング動作時に異物が流入したり、吐出口２５５から吐出される液体が一部抜け出したりもする。一実施形態によれば、前記リセス２５９と、このリセス２５９に収容される第１−１部分２６１−１の端部２６１−３とにより、ポンピング動作時、異物の流入、及び吐出液体の流出を遮断し、審美的不便感を解消することができる。
【００６５】
前述の構造を有する携帯用スプレー噴射構造１０は、内容物の吐出のために、肉眼で噴射方向を確認せずに、ユーザの手感覚だけでも、噴射方向を確認することができる。例えば、ポケットなどに保管されていた噴射構造１０を取り出すと同時に、カバー２６０を開きながら、所望方向に内容物を噴射することができ、片手を利用しても、カバー２６０の開閉が可能であるという長所がある。
【００６６】
図９は、本発明の他の実施形態によるカバーアセンブリを示した分解斜視図である。
【００６７】
図９を参照すれば、カバーアセンブリＮＡ’は、一体に形成された弾性部１２８０と、連結キャップ１２７０と、を含む。弾性部１２８０は、連結キャップ１２７０と同一金型で射出され、連結キャップ１２７０と一体にも形成される。弾性部１２８０は、連結キャップ１２７０の一部構成であり、連結キャップ１２７０をなす物質と同一物質（例：プラスチックなど）を含んでもよい。
【００６８】
連結キャップ１２７０は、ヘッド部１２５０の上面と対応する扁平面１２７３（または、上面ともいう）を含むが、扁平面１２７３に対して垂直に折り曲げられ、ヘッド部１２５０の側面をカバーする側部１２７７を含んでもよい。連結キャップ１２７０は、ヘッド部１２５０の吐出口１２５５を隠さないように、一部領域が除去されながら形成された開口領域１２７４を含んでもよい。連結キャップ１２７０の側部１２７７は、ケース３００の内側面の突起３１３（図５）と対応する溝１２５１を含んでもよい。
【００６９】
連結キャップ１２７０の下面に具備された結合突起１２７２が、ヘッド部１２５０の上面１２５０ａに具備された結合孔１２５２に結合しながら、連結キャップ１２７０は、ヘッド部１２５０上で、その位置が固定される。図９には、１対の結合突起１２７２、及び１対の結合孔１２５２を図示している。
【００７０】
弾性部１２８０は、連結キャップ１２７０の一側エッジから、所定の角度を有するように斜めにも延長される。例えば、弾性部１２８０の第１端部１２８０ａは、連結キャップ１２７０の上面１２７３と側部１２７７とを連結するエッジと一体に形成された固定端でもある。弾性部１２８０の第１端部１２８０ａの反対側である弾性部１２８０の第２端部１２８０ｂは、自由に移動自在な自由端でもある。図３の弾性部２８０の第２端部２８０ｂが、吐出口１２５５に向け（前方に向けて）、−ｙ方向に沿って延長されたところと異なり、図９の弾性部１２８０の第２端部１２８０ｂは、吐出口１２５５から遠くなるように（後方に向けて）、ｙ方向に沿って延長されているところを図示している。他の実施形態において、図９に図示されたところと異なり、弾性部１２８０の第２端部１２８０ｂは、図３でのように、吐出部に向けても延長される。
【００７１】
弾性部１２８０の第２端部１２８０ｂは、先に図４Ａ及び図４Ｂを参照して説明したところのように、カバー１２６０が、第１軸ＡＸ１を中心に、第１位置から第２位置に、第１角度（例えば、約９０°）ほど回転するとき、上下方向への弾性力を、カバー１２６０に提供することができる。それを介して、ユーザは、重みがありつつも、柔らかいカバー１２６０の回転動作を感じることができる。弾性部１２８０の第２端部１２８０ｂは、カバー１２６０と直接接触することができる。
【００７２】
カバー１２６０は、溝１２７５と突起１２６５との構造を利用し、連結キャップ１２７０に結合される。図９は、連結キャップ１２７０、が１対の溝１２７５を具備し、カバー１２６０が溝１２７５に結合する突起１２６５を含むように図示されている。
【００７３】
カバー１２６０は、図９に図示されているように、第１部分１２６１、及び第１部分１２６１に対して折り曲げられた第２部分１２６２を含む。第１部分１２６１の平均厚は、第２部分１２６２の平均厚より厚くも形成され、従って、カバー１２６０の回転及び／または線形移動のために、カバー１２６０に加えられる力により、カバー１２６０が折れるような損傷を防止することができる。
【００７４】
カバー１２６０の第１部分１２６１において、突起１２６５と隣接した部分の厚みは、他の部分より厚くも形成される。第１部分１２６１の内側面１２６１ｉは、平らな面によっても形成される。例えば、第１部分１２６１の内側面１２６１ｉにおいて、突起１２６５と隣接した一部領域は、他の領域より厚くも形成される。
【００７５】
一実施形態によれば、前記カバー１２６０の第１部分１２６１は、第１−１部分１２６１−１及び第１−２部分１２６１−２を含んでもよい。前記第１−１部分１２６１−１は、第２部分１２６２の端部から延長され、外部にも露出される部分であり、ｘ方向に、第２部分１２６２とほぼ同一幅にも形成される。前記第１−２部分１２６１−２は、第１−１部分１２６１−１から−ｙ方向に沿って前方に突出したものであり、ｘ方向に、第１−１部分１２６１−１より狭幅にも形成される。前記第１−２部分１２６１−２は、第１−１部分１２６１−１のほぼ中央部分から突出するようにも形成され、前記溝１２７５に向かった第１−２部分１２６１−２の下端に、前述の突起１２６５が形成される。そのような構造により、前記第１部分１２６１は、ｘｙ平面方向での断面が、ほぼＴ字形状をなすことができる。前記第１−１部分１２６１−１は、第１−２部分１２６１−２よりｚ方向に長くも形成される。
【００７６】
図１０Ａないし図１０Ｃは、ケースに対するカバーの回転移動を示し、図１０Ｄは、ケースに対するカバーの線形移動を示す断面図である。
【００７７】
カバー１２６０は、図１０Ａに図示されているように、第１位置において、上部ケース３１０の開口３００ｏｐをカバーする。ヘッド部１２５０の吐出口１２５５は、カバー１２６０の第２部分１２６２で隠され、外部に露出されないので、汚染を防止することができる。
【００７８】
ユーザの手などにより、カバー１２６０を開ける力が加えられれば、図１０Ｂ及び図１０Ｃに図示されているように、カバー１２６０が、第１軸ＡＸ１を中心に回転し、第２位置に移動する。第１位置から第２位置へのカバー１２６０の移動時、カバー１２６０の下に配置された連結キャップ１２７０の弾性部１２８０は、カバー１２６０を押し上げる力を加える。一実施形態において、弾性部１２８０の第２端部１２８０ｂは、第１位置において、カバー１２６０の第１部分１２６１の厚肉部１２６１Ｔの第１内側面Ｓ１と接触していて、第２位置において、第１部分１２６１の第２内側面Ｓ２と接触（図１０Ｃ参照）しながら、カバー１２６０が第２位置にも置かれる。ここで、第２内側面Ｓ２は、厚肉部１２６１Ｔの第１内側面Ｓ１と連結されるが、第１内側面Ｓ１とは交差する方向に延長された面である。例えば、第２位置において、第１部分１２６１の第１−１部分１２６１−１の端部、及び第１−２部分１２６１−２の端部は、弾性部１２８０の上面と接触することができる。
【００７９】
また、弾性部１２８０の第２端部１２８０ｂは、図１０Ｃに図示されているように、カバー１２６０の第１部分１２６１の第２内側面Ｓ２下において、カバー１２６０を支持することができるので、カバー１２６０は、所定の力以上の外力が加えられない限り、意図せずに、第２位置から第１位置に逆回転しない。
【００８０】
図５ないし図７を参照して説明したリブ３１２などの構造、及びカバー１２６０に弾性力を提供する弾性部１２８０の複合的な構造により、カバー１２６０は、所定の強度以上の力が作用しない限り、容易に開閉されないので、意図していないカバー１２６０の開閉動作を防止することができ、所定の力以上が作用する場合には、容易にカバー１２６０を開閉することができる。
【００８１】
その後、図１０Ｄに図示されているように、力Ｆが作用すれば、カバー１２６０が、第１軸ＡＸ１に垂直である下方に移動し、カバー１２６０の下にあるヘッド部１２５０も、下方に移動しながら、吐出口１２５５を介して内容物が噴出される。前述のように、カバー１２６０の第１部分１２６１の端部が、直接ヘッド部１２５０の上面と接触しながら、カバー１２６０に加えられる力Ｆは、ヘッド部１２５０にそのまま伝達される。力Ｆによって機構的に連結されたカバー１２６０、弾性部１２８０を具備した連結キャップ１２７０、及びヘッド部１２５０が一体に移動しながら、カバー１２６０の第１軸ＡＸ１も、カバー１２６０と共に線形的に移動することができる。
【００８２】
前述の構造を有する携帯用スプレー噴射構造は、内容物の吐出のために、肉眼で噴射方向を確認せず、ユーザの手感覚だけでも噴射方向を確認することができる。例えば、ポケットなどに保管されていた噴射構造１０を取り出すと同時に、カバー１２６０を開きながら、所望方向に内容物を噴射させることができ、片手を使用しても、カバー１２６０の開閉が可能であるという長所がある。
【００８３】
そのように、本発明は、図面に図示された一実施形態を参照にして説明したが、それらは、例示的なものに過ぎず、当該分野において当業者であるならば、それらから多様な変形、及び実施形態の変形が可能であるいう点を理解するであろう。従って、本発明の真の技術的保護範囲は、特許請求の範囲の技術的思想によって決められるものである。
【図１】
0006876224.tif 000002
【図２】
0006876224.tif 000003
【図３】
0006876224.tif 000004
【図４Ａ】
0006876224.tif 000005
【図４Ｂ】
0006876224.tif 000006
【図５】
0006876224.tif 000007
【図６】
0006876224.tif 000008
【図７】
0006876224.tif 000009
【図８Ａ】
0006876224.tif 000010
【図８Ｂ】
0006876224.tif 000011
【図８Ｃ】
0006876224.tif 000012
【図８Ｄ】
0006876224.tif 000013
【図９】
0006876224.tif 000014
【図１０Ａ】
0006876224.tif 000015
【図１０Ｂ】
0006876224.tif 000016
【図１０Ｃ】
0006876224.tif 000017
【図１０Ｄ】
0006876224.tif 000018